(57)【要約】  １つの装置における、被分析物の電気化学的な予備濃縮の後の被分析物の分光化学的分析の組合せを利用して、液体試料の元素組成を分析する装置および方法を説明する。本装置は、電着によって被分析物のイオンを予備濃縮することを目的とする２つの電極と、直流電源／ポテンショスタット／ガルバノスタットと、アーク、火花、グロー放電、またはプラズマなどの放電を発生させることのできる高圧電源と、このような放電中に生成されるスペクトルを記録することのできる分光計と、被分析物を含む溶液を注排出する（１つまたは複数の）ポンプと、からなる。このような装置は、自律的かつ現場に配置可能であり、オンライン分析を提供することができる。
2019535002.tif 000002
【特許請求の範囲】
【請求項１】
液体試料の元素組成を分析する装置であって、
それぞれの電気的活性端部を互いに向き合わせ、互いに離間して配置された、陽極電極および陰極電極と、
前記電極が前記液体に浸されることを可能にするよう、液体を前記装置に送り込む、および、前記液体を前記装置から排出することのできるポンプと、
前記電極に電気的に接触し、一方または両方の前記電極の表面への被分析物の電着のために前記電極に直流電圧を提供するとともに、前記電極を洗浄する目的で逆極性の電圧を提供する、直流（ＤＣ）電源またはポテンショスタット／ガルバノスタットと、
前記電極に電気的に接触し、前記電極の間の放電を発生させることのできる高圧電源と、
前記放電の放出を記録する、または前記放電によって発生するイオンを試料採取することのできる光学分光計または質量分析計と、
を備えている、液体試料の元素組成を分析する装置。
【請求項２】
前記陽極電極および前記陰極電極が、透明な細管または不透明な細管の内側に配置されている、請求項１に記載の、液体試料の元素組成を分析する装置。
【請求項３】
前記細管が、前記ポンプシステムによって前記溶液が中を送られる吸入管および排出される排出管、に結合されている、請求項２に記載の、液体試料の元素組成を分析する装置。
【請求項４】
前記吸入管の端部および前記排出管の端部が中に配置されるリザーバ、をさらに備えている、請求項３に記載の、液体試料の元素組成を分析する装置。
【請求項５】
前記リザーバに前記溶液を加える、および／または、前記リザーバから前記溶液を除去するための、１つまたは複数の弁および／または別のポンプシステム、をさらに備えている、請求項４に記載の、液体試料の元素組成を分析する装置。
【請求項６】
第２のリザーバと、液体を前記第１のリザーバから前記第２のリザーバに送る、またはこの逆に送るリバーシブルポンプシステムと、をさらに備えている、請求項４または請求項５に記載の、液体試料の元素組成を分析する装置。
【請求項７】
前記第２のリザーバから前記液体を除去するための弁またはさらに別のポンプシステム、をさらに備えている、請求項６に記載の、液体試料の元素組成を分析する装置。
【請求項８】
前記細管の吸入管、または吸入管および排出管の両方が、前記溶液が前記リザーバに加えられた後には前記液体に浸されており、前記液体が前記リザーバから除去された後には前記液体に浸されていない、請求項１から請求項７のいずれか１項に記載の、液体試料の元素組成を分析する装置。
【請求項９】
前記溶液を前記細管に送り込む、および前記細管から排出する前記ポンプシステムが、前記細管の前記排出管または前記細管の前記吸入管のいずれかに結合されるリバーシブルポンプを備えている、請求項１から請求項８のいずれか１項に記載の、液体試料の元素組成を分析する装置。
【請求項１０】
前記細管の前記吸入管が、分析される前記液体の中に配置され、前記細管の前記排出管が、前記液体の表面の上方に配置される、請求項９に記載の、液体試料の元素組成を分析する装置。
【請求項１１】
前記電極が、直流電源、ポテンショスタット、またはガルバノスタットに電気的に接触する、請求項１から請求項１０のいずれか１項に記載の、液体試料の元素組成を分析する装置。
【請求項１２】
前記被分析物を電着させるために前記電極の間に印加される前記直流電位が、分析される前記液体の前記組成に応じて調整され得る、請求項１１に記載の、液体試料の元素組成を分析する装置。
【請求項１３】
前記電極の間に印加される前記直流電位が、０．１Ｖと１００Ｖの間であるように調整され得る、請求項１１または請求項１２のいずれか１項に記載の、液体試料の元素組成を分析する装置。
【請求項１４】
前記電極が、アーク、火花、グロー放電、またはプラズマなどの放電を発生させることのできる高圧電源に電気的に接触する、請求項１から請求項１３のいずれか１項に記載の、液体試料の元素組成を分析する装置。
【請求項１５】
前記光学分光計の入射スリット、または前記光学分光計に結合されている光ファイバケーブルが、前記細管および前記放電の向かいに配置されている、請求項１から請求項１４のいずれか１項に記載の、液体試料の元素組成を分析する装置。
【請求項１６】
前記分光計の前記入射スリットまたは前記光ファイバケーブルが、モニターされる前記電極の真向かいに配置されており、モニターされない前記電極の向かいには配置されていない、請求項１５に記載の、液体試料の元素組成を分析する装置。
【請求項１７】
両方の電極を同時にモニターするために必要でありうるため、前記分光計の前記入射スリットまたは前記光ファイバケーブルが、前記陰極電極および前記陽極電極の両方の向かいに配置されている、請求項１５に記載の、液体試料の元素組成を分析する装置。
【請求項１８】
前記細管の背後に配置されている、または前記細管の一部の周囲を覆っており、前記光学分光計の入射スリットまたは前記光学分光計に結合されている光ファイバケーブルの向かいに配置されている、平面鏡もしくは凹面鏡、鏡面、または可撓性鏡、をさらに備えている、請求項１から請求項１７のいずれか１項に記載の、液体試料の元素組成を分析する装置。
【請求項１９】
前記鏡の縁部が、モニターされる前記電極の表面を超えて延びており、かつ、モニターされない前記電極の表面より手前に位置している、請求項１８に記載の、液体試料の元素組成を分析する装置。
【請求項２０】
両方の電極を同時にモニターするために必要でありうるため、前記鏡が前記陽極電極および前記陰極電極の両方の前に配置されている、請求項１８に記載の、液体試料の元素組成を分析する装置。
【請求項２１】
前記陽極電極または前記陰極電極のいずれか、または両方の電極が、露出する前記電極の端部のみを残して、非導電性かつ不活性なコーティングによって覆われている、請求項１から請求項２０のいずれか１項に記載の、液体試料の元素組成を分析する装置。
【請求項２２】
前記作用電極の電気的活性面が平坦である、請求項２１に記載の、液体試料の元素組成を分析する装置。
【請求項２３】
前記対向電極の電気的活性面が尖っている、請求項２２に記載の、液体試料の元素組成を分析する装置。
【請求項２４】
前記作用電極および／または前記対向電極が、以下に限定されないが、次の材料、すなわち、黒鉛、黒鉛複合材、カーボンナノチューブ、グラフェン、フラーレン、金、白金、イリジウム、アルミニウム、モリブデン、レニウム、ルテニウム、チタン、またはこれらの酸化物もしくは複合材、を含むさまざまな材料から構成されている、請求項２１から請求項２３のいずれか１項に記載の、液体試料の元素組成を分析する装置。
【請求項２５】
前記ガラス細管が取り付けられている支持部、をさらに備えている、請求項１から請求項２４のいずれか１項に記載の、液体試料の元素組成を分析する装置。
【請求項２６】
前記細管がＴ形状である、または前記細管が、質量分析計の入口に結合されている、前記電極に垂直な出口管、を有するＴ型コネクタ、を備えている、請求項１から請求項２５のいずれか１項に記載の、液体試料の元素組成を分析する装置。
【請求項２７】
前記Ｔ形状の細管またはＴ型コネクタと、質量分析計の入口との間に、弁が配置されている、請求項２６に記載の、液体試料の元素組成を分析する装置。
【請求項２８】
液体試料の元素組成を分析する方法であって、以下のステップ、すなわち、
請求項１から請求項２７のいずれか１項に記載の装置を用意するステップと、
前記被分析物を含む前記溶液を、所定の流量で、所定の時間長にわたり前記細管に送り込むステップと、
前記溶液が前記細管に送り込まれている間、所定の時間長にわたり前記電極に直流電位を印加するステップであって、結果として被分析物が電着する、ステップと、
前記装置への前記溶液の前記送り込みを終了した後、前記細管から前記溶液すべてを排出するステップと、
前記溶液が前記細管から排出される前、または前記溶液が前記細管から排出された後のいずれかに、前記電極への前記電着直流電位の印加を終了するステップと、
前記電極に交流（ＡＣ）高電圧または一定もしくはパルス直流高電圧を印加するステップであって、結果として前記電極の間の放電が発生する、ステップと、
前記結果としての放電の光学発光スペクトルまたは質量スペクトルを記録するステップと、
前のステップにおいて使用された溶液と同じ溶液、または新しい溶液のいずれかを、所定の流量で、所定の時間長にわたり前記細管に送り込むステップと、
前記溶液が前記細管に送り込まれている間、前記被分析物を電着するために使用された直流電位とは逆極性の直流電位を印加するステップであって、結果として電着物質が除去されて前記電極の表面が洗浄される、ステップと、
前記細管から前記溶液を排出するステップと、
を含む、液体試料の元素組成を分析する方法。
【請求項２９】
前記細管から前記溶液を排出する前記ステップが、前記細管の前記吸入管、または前記吸入管および前記排出間の両方が浸されている前記溶液を除去し、結果として前記ポンプシステムが、前記細管が空になるように空気を送り込むことによって、達成される、請求項２８に記載の方法。
【請求項３０】
弁を開くことによって、および／または、別のポンプを作動させることによって、前記溶液が除去される、請求項２９に記載の方法。
【請求項３１】
前記細管から前記溶液を排出する前記ステップが、前記ポンプシステムの流れ方向を逆にすることによって達成される、請求項９および請求項１０に従属する請求項２８に記載の方法。
【請求項３２】
前記電着ステップが、前記質量分析計内への前記被分析物の流れを制御する弁が閉位置にある状態で実行され、前記質量分析検出ステップが、前記弁が開位置にある状態で実行される、請求項２６および請求項２７に従属する請求項２８から請求項３１のいずれか１項に記載の方法。
【請求項３３】
前記洗浄ステップが、
前記第２のリザーバから前記第１のリザーバに前記溶液を戻した後、前記電極を洗浄する目的で、前記溶液を前記細管に送り込み、前記電着ステップ時に使用された電圧とは逆極性の電圧を印加することによって、
実行される、
請求項６および請求項７に従属する請求項２８から請求項３２のいずれか１項に記載の方法。
【請求項３４】
前記洗浄ステップの後、前記細管の前記吸入管、または前記吸入管および前記排出間の両方が浸されている前記液体を、弁を開くことによって、または別のポンプを作動させることによって除去する、請求項２８から請求項３３のいずれか１項に記載の方法。
【請求項３５】
前記洗浄ステップの後、前記第１のリザーバから前記第２のリザーバに前記液体を送り、次いで、弁を開くことによって、または別のポンプを作動させることによって、前記第２のリザーバから前記液体を除去する、請求項２８から請求項３３のいずれか１項に記載の方法。
【請求項３６】
前記洗浄ステップの後、弁を開くことによって、または別のポンプを作動させることによって、前記第１のリザーバから前記液体を除去する、請求項２８から請求項３３のいずれか１項に記載の方法。
【請求項３７】
前記陽極電極および前記陰極電極が、溶液吸入管に垂直に配置されており、かつ、前記吸入管の端部の上方に、ある距離以内に位置しており、前記吸入管が前記２つの電極の間に位置している、請求項１に記載の、液体試料の元素組成を分析する装置。
【請求項３８】
前記吸入管が、前記吸入管からの前記液体を集めるために使用されるカップまたは容器の内側に配置されている、請求項３７に記載の、液体試料の元素組成を分析する装置。
【請求項３９】
前記カップまたは前記容器の内側に配置されている排出管、をさらに備えている、請求項３７および請求項３８のいずれか１項に記載の、液体試料の元素組成を分析する装置。
【請求項４０】
前記吸入管または前記排出管と、前記カップまたは前記容器との間に、ポンプを配置することができる、請求項３９に記載の、液体試料の元素組成を分析する装置。
【請求項４１】
前記ポンプがリバーシブルである、請求項４０に記載の、液体試料の元素組成を分析する装置。
【請求項４２】
前記電極が、直流電源、ポテンショスタット、またはガルバノスタットに電気的に接触する、請求項３７から請求項４１のいずれか１項に記載の、液体試料の元素組成を分析する装置。
【請求項４３】
前記被分析物を電着させるために前記電極の間に印加される前記直流電位が、分析される前記液体の前記組成に応じて調整され得る、請求項４２に記載の、液体試料の元素組成を分析する装置。
【請求項４４】
前記電極の間に印加される前記直流電位が、０．１Ｖと１００Ｖの間であるように調整され得る、請求項３７から請求項４３のいずれか１項に記載の、液体試料の元素組成を分析する装置。
【請求項４５】
前記電極が、アーク、火花、グロー放電、またはプラズマなどの放電を発生させることのできる高圧電源に電気的に接触する、請求項４２から請求項４４のいずれか１項に記載の、液体試料の元素組成を分析する装置。
【請求項４６】
前記光学分光計の入射スリット、前記光学分光計に結合されている光ファイバケーブル、または質量分析計の試料採取孔が、前記電極および前記放電の向かいに配置されている、請求項４５に記載の、液体試料の元素組成を分析する装置。
【請求項４７】
前記分光計の前記入射スリットまたは前記光ファイバケーブルが、モニターされる前記電極の真向かいに配置されており、モニターされない前記電極の向かいには配置されていない、請求項４５に記載の、液体試料の元素組成を分析する装置。
【請求項４８】
前記電極の背後、かつ、前記光学分光計の前記入射スリットまたは前記光学分光計に結合されている前記光ファイバケーブルの向かい、に配置されている平面鏡または凹面鏡、をさらに備えている、請求項３７から請求項４７のいずれか１項に記載の、液体試料の元素組成を分析する装置。
【請求項４９】
前記鏡の縁部が、モニターされる前記電極の表面を超えて延びており、かつ、モニターされない前記電極の表面より手前に位置している、請求項４８に記載の、液体試料の元素組成を分析する装置。
【請求項５０】
前記陽極電極または前記陰極電極、または両方の電極が、露出する前記電極の端部のみを残して、非導電性かつ不活性なコーティングによって覆われている、請求項３７から請求項４９のいずれか１項に記載の、液体試料の元素組成を分析する装置。
【請求項５１】
前記作用電極の電気的活性面が平坦である、請求項５０に記載の、液体試料の元素組成を分析する装置。
【請求項５２】
前記対向電極の電気的活性面が尖っている、請求項５１に記載の、液体試料の元素組成を分析する装置。
【請求項５３】
前記作用電極および／または前記対向電極が、以下に限定されないが、次の材料、すなわち、黒鉛、黒鉛複合材、カーボンナノチューブ、グラフェン、フラーレン、金、白金、イリジウム、アルミニウム、モリブデン、レニウム、ルテニウム、チタン、またはこれらの酸化物もしくは複合材、を含むさまざまな材料から構成されている、請求項５０から請求項５２のいずれか１項に記載の、液体試料の元素組成を分析する装置。
【請求項５４】
液体試料の元素組成を分析する方法であって、以下のステップ、すなわち、
請求項３７から請求項５３のいずれか１項に記載の装置を用意するステップと、
前記被分析物を含む前記溶液を、所定の流量で、所定の時間長にわたり前記吸入管に送り込むステップであって、結果として、あふれる前記溶液中に前記陽極電極および前記陰極電極の一部が浸される、ステップと、
前記溶液が前記装置に送り込まれている間、所定の時間長にわたり前記電極に直流電位を印加するステップであって、結果として前記被分析物が電着する、ステップと、
送り込みを終了して前記液体が重力によって流れ出るようにすることによって、または前記装置から前記溶液をポンプで排出することによって、前記装置から溶液を排出するステップと、
前記装置への溶液の送り込みを終了する前、または溶液の送り込みを終了した後のいずれかに、前記電極への前記直流電位の印加を終了するステップと、
交流高電圧または一定もしくはパルス直流高電圧を、前記電極に印加するステップであって、結果として前記電極の間の放電が発生する、ステップと、
前記結果としての放電の発光スペクトルまたは質量スペクトルを記録するステップと、
前のステップにおいて使用された溶液と同じ溶液、または新しい溶液のいずれかを、所定の流量で、所定の時間長にわたり前記装置に送り込むステップであって、結果として、あふれる前記液体中に前記陽極および前記陰極の一部が浸される、ステップと、
前記溶液が前記装置に送り込まれている間、前記被分析物を電着するために使用された直流電位とは逆極性の直流電位を印加するステップであって、結果として電着物質が除去されて前記電極の表面が洗浄される、ステップと、
前記装置から前記溶液を排出するステップと、
を含む、液体試料の元素組成を分析する方法。
【請求項５５】
前記装置から前記溶液を排出する前記ステップが、前記装置のポンプシステムの吸入管、または吸入管および排出管の両方が浸される前記溶液を、弁を開くことによって、または別のポンプを作動させることによって除去することにより、達成される、請求項５４に記載の方法。
【請求項５６】
前記装置から前記溶液を排出する前記ステップが、前記ポンプシステムの流れ方向を逆にすることによって達成される、請求項４１に従属する請求項５４に記載の方法。
【請求項５７】
すべてのステップが自動化される、請求項２８から請求項３６および請求項５２から請求項５６のいずれか１項に記載の方法。
【請求項５８】
試料の分析のみならず、データの取得、処理、および分析が、設定された間隔において自律的に行われる、請求項５７に記載の方法。
【請求項５９】
試料の分析時に取得されたデータが、１台または複数台のコンピュータに転送される、請求項５８に記載の方法。
【発明の詳細な説明】
【技術分野】
【０００１】
本開示は、液体試料の元素組成を分析する装置に関し、詳細には、電極の表面における被分析物の電気化学的な予備濃縮と、高エネルギー放電または高エネルギープラズマによる、析出した被分析物の気化および励起と、被分析物の特徴的な原子発光信号または質量分析信号に基づく被分析物の分光化学的検出と、を利用する装置、に関する。
【背景技術】
【０００２】
試料の元素分析は、多くの化学分野において重要であり、環境モニタリング、飲料水のモニタリング、および食品分析において日常的に行われている。元素分析は、光学的な原子分光分析技術（原子吸光（ＡＡ）、誘導結合プラズマ原子発光分光分析（ＩＣＰ−ＯＥＳ）、原子蛍光分光分析（ＡＦＳ）など）によって、または誘導結合プラズマ質量分析（ＩＣＰ−ＭＳ）によって、しばしば実行される。これらの方法は極めて良好な検出限界を提供することができるが、大型で高価な機器を必要とするのみならず、ＩＣＰ−ＯＥＳおよびＩＣＰ−ＭＳの場合にはアルゴンなどの大量の気体を使用する必要がある。
【０００３】
以前にＷｅｂｂら（特許文献１）によって、大気圧陰極グロー放電（atmospheric pressure cathodic glow discharge）および原子発光信号の検出に基づく携帯型の方法が説明された。この方法では、陽極と、陰極として作用する酸性化された被分析物溶液との間にグロー放電を発生させる。この方法は、必要な電力が小さく、気体も必要としないが、被分析物溶液をｐＨ１まで酸性化する必要がある。この方法は、強酸を使用する必要があり、大量の酸性廃棄物が発生するため、現場に適用するには実用的ではない。
【０００４】
金属イオンの陽極電着またはカチオン電着に基づく電気化学的方法は、電極表面における金属イオンの予備濃縮の結果として、極めて低い検出限界（１ｐｐｂ以下）を提供するが、このような方法は干渉を受けやすい。これらの干渉を回避するため、多元素検出では、いくつかの異なる電極材料を使用する必要がある（Ｍａｒｃｈら）。
【０００５】
電気化学的な予備濃縮の後、析出したイオンの分光化学的検出を組み合わせることが文献に報告されている。Ｂａｄｉｅｉらは、携帯型の電気化学的装置を使用して、携帯型のＲｅフィラメント上に海水からＣｒ（ＩＩＩ）、Ｃｒ（ＩＩＩ）＋Ｃｒ（ＶＩ）、およびＰｂを予備濃縮させた後、ＩＣＰ−ＯＥＳを使用して検出した。得られた検出限界は、２〜３分の電着の後に２〜２０ｐｇ／ｍＬであり、水道の硬水中のＰｂの検出が実証された。Ｍａｓｈｋｏｕｒｉ  Ｎａｊａｆｉらは、電気化学セルにおいて黒鉛電極上にＮｉ、Ｃｒ、およびＰｂを予備濃縮させた後、黒鉛電極をアーク原子発光分光計（ＥＤ−ＡＡＥＳ）（arc atomic emission spectrometer）に移して分析した。得られた検出限界は、３０分の予備濃縮の後に３ｐｐｂ以下であった。Ｋｏｍａｒｅｋらは、黒鉛プローブ上に電気化学的に予備濃縮させた後、電熱原子吸光分析によって、微量のＣｕ、Ｃｄ、Ｐｂ、Ｎｉ、およびＣｒを検出した。ＢａｔｌｅｙおよびＭａｔｏｕｓｅｋは、フロースルーセルにおいて、黒鉛で被覆した管状炉を使用し、水銀との同時析出によって重金属を予備濃縮させた。次に、炉を原子吸光分析装置に移して分析した。この方法では、ＣｏおよびＮｉをそれぞれ１５分および１０分予備濃縮させた後、０．０２ｐｐｂのＣｏおよびＮｉを検出することができた。この方法では、原子吸光（ＡＡ）においてＮａイオンからの干渉を排除するため、原子吸光分析の前に電極を注意深く洗浄する必要があった。
【０００６】
例えば水道水の浄水場において金属イオンをオンラインで分析する能力は極めて有用であり、なぜなら水試料を試験施設に送る必要なしに水質をリアルタイムで常時モニタリングできるためである。電気化学的検出に基づくオンラインの金属イオンモニタリングシステムは、市販されており、低いｐｐｂ検出限界を提供する。しかしながら機器が大型で高価であり、また多元素モニタリングには、２種類以上の電極材料とさまざまな緩衝液を使用する必要があり、これによりシステムが著しく複雑なものとなる。これに加えて、使用される試薬および緩衝液が汚染されやすい。
【０００７】
したがって、試薬を使用せず現場に配置可能であり、高感度の多元素検出を提供する簡単な方法であって、元素の干渉およびマトリックス効果が最小限であり、金属イオンのオンライン分析も可能にする方法、の大きなニーズが存在する。
【先行技術文献】
【特許文献】
【０００８】
【特許文献１】米国特許第７，９２９，１３８明細書
【非特許文献】
【０００９】
【非特許文献１】Modified Electrodes Used for Electrochemical Detection of Metal Ions in Environmental Analysis; G. March, T. Dung Nguyen, B. Piro; Biosensors, 5, pp. 241-275 (2015).
【非特許文献２】Bringing part of the lab to the field: On-site chromium speciation in seawater by electrodeposition of Cr(III)/Cr(VI) on portable coiled-filament assemblies and measurement in the lab by electrothermal, near-torch vaporization sample introduction and inductively coupled plasma-atomic emission spectrometry; H. Badiei, J. McEnaney, V. Karanassios; Spectrochimica Acta Part B, 78, pp. 42-49 (2012)
【非特許文献３】Taking part of the lab to the sample: On-site electrodeposition of Pb followed by measurement in a lab using electrothermal, near-torch vaporization sample introduction and inductively coupled plasma-atomic emission spectrometry; H. Badiei, C. Liu, V. Karanassios; Microchemical Journal, 108, pp. 131-136 (2013)
【非特許文献４】Developing electrodeposition techniques for preconcentration of ultra traces of Ni, Cr and Pb prior to arc atomic emission spectrometry determination; N. Mashkouri Najafi, M. Eidizadeh, S. Seidi, E. Ghasemi, R. Alizadeh; Microchemical Journal, 93, pp. 159-163 (2009)
【非特許文献５】Determination of heavy metals by electrothermal atomic absorption spectrometry after electrodeposition on a graphite probe; J. Komarek, J. Holy; Spectrochimica Acta Part B, 54, pp. 733-738 (1999)
【非特許文献６】Determination of Heavy Metals in Seawater by Atomic Absorption Spectrometry after Electrodeposition on Pyrolytic Graphite-Coated Tubes; G.E. Batley and J.P. Matousek; Analytical Chemistry, 49, pp. 2031-2035 (1977)
【非特許文献７】United States Environmental Protection Agency, Lead and Copper Rule (LCR), and National Primary Drinking Water Regulations for Lead and Copper 40 CFR Parts 9, 141 and 142, January 12 2000
【非特許文献８】In: Guidelines for drinking-water quality [electronic resource] incorporating first addendum, 3rd ed., Recommendations, vol. 1, World health Organization, 2006.
【非特許文献９】Guidelines for Canadian Drinking Water Quality, Health Canada, Dec. 2010.
【発明の概要】
【００１０】
一態様によれば、液体試料の元素組成を分析する装置であって、吸入管と、液体を装置に送り込む、および装置から排出するポンプシステムと、吸入管および排出管に結合されている細管と、直流電源／ポテンショスタット／ガルバノスタット、または、一定もしくはパルス高圧直流電源あるいは高圧交流電源、のいずれかに接続される、細管の内側の２つの電極と、２つの電極の間の高圧放電からの発光スペクトルを記録することのできる光学分光計または質量分析計と、細管の背後に配置されている、または細管の一部を覆っており、光学分光計の入射スリットまたは光学分光計に結合されている光ファイバケーブルの向かいに位置している鏡面と、を備えている、液体試料の元素組成を分析する装置、を提供する。
【００１１】
別の態様によれば、液体試料の元素組成を分析する方法であって、以下のステップ、すなわち、上述した装置を用意するステップと、装置に被分析物溶液を設定流量で送り込むステップであって、この時間の間、被分析物の電着に十分な電位が２つの電極の間に印加される、ステップと、液体を細管から排出し、溶液が細管から排出される前または排出された後のいずれかに直流電位の印加を停止するステップと、次に、電極の間に高電圧を印加するステップであって、結果として、アーク、火花、グロー放電、またはプラズマなどの放電が発生する、ステップと、高圧放電中に生成される、結果としての発光スペクトルまたは質量スペクトルを記録するステップと、残留電着物質を除去し、したがって電極の表面を洗浄するために、電着ステップ時に使用した溶液と同じ溶液、または新しい溶液を細管に送り込み、電着時に使用した直流電位とは逆極性の直流電位を印加するステップと、装置から溶液を排出するステップと、を含む、液体試料の元素組成を分析する方法、を提供する。
【００１２】
さらに別の態様によれば、液体試料の元素組成を分析する装置であって、カップまたは容器の底面を通って突き出している吸入管と、カップまたは容器の底面の内側に配置されている排出管と、液体を装置に送り込む、および装置から排出するポンプシステムと、吸入管の直上に配置されている２つの電極と、直流電源もしくはポテンショスタット／ガルバノスタットなどの電源と、直流高圧電源もしくは交流高圧電源と、２つの電極の間の高圧放電からの発光スペクトルまたは質量スペクトルを記録することのできる光学分光計または質量分析計と、２つの電極の背後に配置されており、光学分光計の入射スリットまたは光学分光計に結合されている光ファイバケーブルの向かいに位置している鏡面と、を備えている、液体試料の元素組成を分析する装置、を提供する。
【００１３】
本装置のさらに別の態様によれば、液体試料の元素組成を分析する方法であって、上述した装置を用意するステップと、カップまたは容器に溶液を送り込むステップであって、この時間の間、２つの電極が、流動溶液の流れの内側に浸される、ステップと、２つの電極の間に電位を印加するステップであって、結果として、電極の表面に被分析物が電着する、ステップと、その後に送り込みを停止するステップであって、結果として電極が、流動液体の流れにもはや浸されず空気にさらされる、ステップと、２つの電極の間に高電圧を印加するステップであって、結果として、アーク、火花、グロー放電、またはプラズマなどの放電が発生する、ステップと、高圧放電中に生成される、結果としての発光スペクトルまたは質量スペクトルを記録するステップと、残留電着物質を除去し、したがって電極の表面を洗浄するために、電着ステップ時に使用した溶液と同じ溶液、または新しい溶液を装置に送り込み、電着時に使用した直流電位とは逆極性の直流電位を印加するステップと、装置から溶液を排出するステップと、を含む、液体試料の元素組成を分析する方法、を提供する。
【００１４】
以下では、実施形態について、添付の図面を参照しながら単なる一例として説明する。
【図面の簡単な説明】
【００１５】
【図１ａ】透明な細管および光学的検出を利用する装置の側面図である。
【図１ｂ】透明な細管および光学的検出を利用する装置の正面図である。
【図１ｃ】透明な細管および光学的検出を利用する装置の上面図である。
【図１ｄ】透明な細管、光学的検出、およびポンプを利用する装置の略図であり、吸入管および／または排出管が浸される容器に液体を送り込む、および／または、容器から液体を排出するために使用される、弁および／または別のポンプシステムも描いてある。この装置のポンプシステムは、細管の吸入管に結合されている。
【図１ｅ】透明な細管、光学的検出、およびポンプを利用する装置の略図であり、吸入管および／または排出管が浸される容器に液体を送り込む、および／または、容器から液体を排出するために使用される、弁および／または別のポンプシステムも描いてある。この装置のポンプシステムは、細管の排出管に結合されている。
【図１ｆ】透明な細管および光学的検出を利用する装置の略図であり、細管の入口に結合されているリバーシブルポンプシステムも描いてある。吸入管のみが液体に浸されており、排出管は液体の表面の上方に位置している。
【図１ｇ】透明な細管および光学的検出を利用する装置の略図であり、細管の出口に結合されているリバーシブルポンプシステムも描いてある。吸入管のみが液体に浸されており、排出管は液体の表面の上方に位置している。
【図１ｈ】分光計の光ファイバケーブルまたは入射スリットと、鏡とが、作用電極のみの前に配置されている、透明な細管の側面図である。
【図１ｉ】分光計の光ファイバケーブルまたは入射スリットと、鏡とが、作用電極および対向電極の両方の前に配置されている、透明な細管の側面図である。
【図１ｊ】図１ｆおよび図１ｇに示す装置の変形例を示す図である。
【図２】電極を囲む非導電性かつ不活性なコーティングの層を有する、平坦な端部を有する作用電極の側面図と、尖った端部を有する対向電極の側面図である。
【図３】細管および質量分析検出を利用する装置の上面図である。
【図４ａ】カップ／容器を利用する装置の正面図であり、流れがオフにされており液体が装置を流れていない状態を示してある。
【図４ｂ】カップ／容器を利用する装置の正面図であり、溶液が装置を流れている状態を示している。
【図４ｃ】カップ／容器を利用する装置の上面図である。
【図５ａ】装置１００を使用して、放電の印加中に得られた２つの連続するスペクトルである（１０ｐｐｂのＣｄ、Ｈｇ、Ｐｂ、およびＣｒが添加された１３０ｐｐｍ（総硬度）の水道水の試料、１２Ｖで１０分の電着）（示したスペクトル領域：２０４ｎｍ〜５００ｎｍ）。
【図５ｂ】装置１００を使用して、放電の印加中に得られた２つの連続するスペクトルである（１０ｐｐｂのＣｄ、Ｈｇ、Ｐｂ、およびＣｒが添加された１３０ｐｐｍ（総硬度）の水道水の試料、１２Ｖで１０分の電着）（示したスペクトル領域：２０４ｎｍ〜２６５ｎｍ）。
【図５ｃ】装置１００を使用して、放電の印加中に得られた２つの連続するスペクトルである（１０ｐｐｂのＣｄ、Ｈｇ、Ｐｂ、およびＣｒが添加された１３０ｐｐｍ（総硬度）の水道水の試料、１２Ｖで１０分の電着）（示したスペクトル領域：２７５ｎｍ〜３４３ｎｍ）。
【図５ｄ】装置１００を使用して、放電の印加中に得られた２つの連続するスペクトルである（１０ｐｐｂのＣｄ、Ｈｇ、Ｐｂ、およびＣｒが添加された１３０ｐｐｍ（総硬度）の水道水の試料、１２Ｖで１０分の電着）（示したスペクトル領域：３６０ｎｍ〜４３３ｎｍ）。
【発明を実施するための形態】
【００１６】
液体試料中のさまざまな金属イオン、半金属イオン、および非金属イオンの検出のために、携帯型の装置を使用することができる。低濃度の被分析物の検出は、電着後の電気化学的検出（ただしこれに限定されない）を含むさまざまな方法を通じて促進することができる。しかしながら、電気化学的検出は、例えば金属イオン錯体の形成による干渉、または別の物質による干渉、さらには陽極／陰極ストリッピングボルタンメトリー（anodic/cathodic stripping voltammetry）における広いピークが重なることからの干渉を受けやすい。これに加えて、電気化学的検出は、溶液の特性（溶液のｐＨなど）に左右される。したがって、被分析物を予備濃縮するための電着技術と、十分な解像度の分光法検出とを組み合わせて、検出方法をさまざまな対象の被分析物に特化させることが望ましいことがある。さらに、検出方法は、自律的かつ現場に配置可能であるのみならず、液体試料中の金属イオンの濃度レベルに関するオンライン分析およびオペレータ不要の連続的なデータを提供できることも望ましい。
【００１７】
便宜上、説明の中の類似する数字は、図面内の類似する構造を指す。図１ａ〜図１ｊを参照すると、液体試料の元素組成を分析する装置（全体が参照文字１００によって識別されている）の実施形態を示してある。装置１００は、放電の発光スペクトルを記録することのできる分光計１０８（図１ｃ、図１ｈ、図１ｉ）と、ガラスまたは石英（ただしこれらに限定されない）を含む透明材料からなる細管１０９と、一方の端部においてポンプ１１１に結合することができ（図１ｄおよび図１ｆ）、かつ他方の端部においてコネクタ１１２を通じて透明な細管１０９に結合することのできる吸入管１１０と、コネクタ１１４を通じて細管１０９に結合することができ、かつポンプ１１１に結合することができる（図１ｅおよび図１ｇ）排出管１１３と、２つの電極（作用電極１１５および対向電極１１６）と、細管１０９が取り付けられている支持部１１７と、前方を横切って細管１０９が配置されている、支持部１１７における孔１１８と、支持部１１７の反対側において孔１１８の内側に配置されている分光計の光ファイバケーブル、または孔１１８の前に配置されている分光計１０８の入射スリットと、細管の背後に配置されている、または細管の一部を覆っており、分光計１０８の入射スリットまたは分光計１０８に結合されている光ファイバケーブルの向かいに位置している鏡面１２１（図１ｃ、図１ｈ、図１ｉ）と、電気コネクタ１２４，１２５を通じて電極１１５，１１６に接続されている電気ケーブル１２２，１２３と、電気ケーブル１２２，１２３を直流電源／ポテンショスタット／ガルバノスタット、または、交流高圧電源もしくは一定あるいはパルス直流高圧電源などの高圧電源、のいずれかに接続する三路トグルスイッチ１２６，１２７と、内側に支持部１１７が配置されている基部１２８と、を備えている。
【００１８】
陽極電極または陰極電極の表面に十分な量の被分析物が析出するのに必要な時間にわたり、装置１００に溶液が送り込まれる。陰極析出の場合、陰極電極の表面に被分析物のイオンが析出する。陽極析出も可能である。電着の持続時間は、印加される電圧、溶液の流量、方法の感度、さらには溶液中の被分析物の濃度によって決まる。溶液の流量が大きいほど、電着電位が高いほど、および溶液中の被分析物濃度が高いほど、必要な電着時間が短い。この時間の間は、ポテンショスタット／ガルバノスタットまたは直流電源を通じて定電圧または定電流が電極に供給される。この時間の間、高圧電源は切断されている。
【００１９】
電着ステップが完了した後、細管１０９から溶液が排出される。この排出は、吸入管１１０および／または排出管１１３がもはや液体に浸らないようにリザーバ１２９から液体を排出することによって、達成することができる（図１ｄおよび図１ｅ）。この結果として、装置のポンプシステム１１１が、液体の代わりに空気を細管に送り込む。液体の排水は、図１ｄおよび図１ｅに示したように、弁１３０を開くことによって、または別のポンプ１３０を作動させることによって、または他の手段によって、達成することができる。これに代えて、細管１０９からすべての溶液を排出するのに十分な時間にわたり、ポンプの流れ方向を逆にすることによって、細管から溶液を排出することができる。図１ｆおよび図１ｇに示したように、リバーシブルポンプ１１１を使用することができる。この構成では、リバーシブルポンプ１１１の流れ方向が逆にされているときに細管１０９から排水する目的で、分析される液体中に吸入管１１０を位置させることができ、一方で排出管１１３を液体の表面１３１の上方に位置させることができる。リバーシブルポンプは、細管の入口または出口のいずれかに結合することができる。細管から溶液が排出された後、三路トグルスイッチ１２６，１２７（図１ａ）によって、回路が、交流高圧電源、または一定もしくはパルス直流高圧電源に切り替えられる。高圧電源は、電極１１５と電極１１６の間に高電圧を印加し、アーク、火花、グロー放電、またはプラズマなどの放電を発生させる。２つの電極１１５，１１６の間にパルス直流放電を印加する場合、電極を周期的に冷やすことができることにより電極の過熱を低減することができ、したがって電極の腐食が減少する。また、パルス直流放電の印加は、信号対雑音比を改善するために、トリガーされるデータ取得を通じて対象の信号を変調する目的にも使用することができる。
【００２０】
電極の表面１１５および／または１１６に析出した被分析物が、放電によって気化、原子化、および励起され、結果としての原子発光スペクトルが分光計によって記録される。光学分光計の入射スリットは、透明な細管が前方に取り付けられている、支持部１１７における孔１１８の真後ろに配置することができる。これに代えて、光学分光計に結合されている光ファイバケーブルを、孔１１８の内側に配置することができ、放電の間に放出される光を集めるために使用することができる。細管１１０の一部分の周囲を覆う平面鏡、凹面鏡、または鏡面１２１（図１ｃ）を、孔１１８の向かいに配置することができ、放電から放出された光を光ファイバケーブル内に反射する、または分光計１０９の入射スリット内に直接反射するために使用することができ、したがって分光計内への光の量が改善され、したがって装置の感度が向上する。図１ｈに示したように、光ファイバケーブルまたは分光計の入射スリット１０９は、モニターされる電極（作用電極）１１５の電気的活性端部の真正面に配置し、モニターされない電極（対向電極）１１６の前には配置しないことができる。さらに、鏡１２１の縁部は、モニターされる電極（作用電極）１１５の面のすぐ下まで延びていることができ（延びていなくてもよい）、モニターされない電極（対向電極）１１６の面の上方に位置していることができる。これに代えて、図１ｉに示したように、光ファイバケーブルまたは分光計の入射スリット１０９と、鏡１２１を、両方の電極の電気的活性端部の前に配置することができ、なぜなら陽極析出および陰極析出の両方を同時にモニターするときに必要であるためである。図１ｈに示したように、モニターされる電極１１５（作用電極）の電気的活性面は、光ファイバケーブルまたは分光計の入射スリットにおける光の収集の効率を高める目的で、平坦とすることができる。これに加えて、対向電極の電気的活性面は、放電を作用電極の電気的活性面全体に導く目的で、尖っていることができる。
【００２１】
吸入管１１０、排出管１１３、およびコネクタ１１２，１１４は、検出される金属イオンまたはそれ以外のイオンを浸出させない材料から作製されるべきである。
【００２２】
作用電極１１５および対向電極１１６は、（以下に限定されないが）黒鉛、黒鉛複合材、カーボンナノチューブ、グラフェン、フラーレン、タングステン、モリブデン、白金、イリジウム、金、アルミニウム、レニウム、ルテニウム、チタン、タンタル、またはこれらの酸化物を含むさまざまな材料から構成することができ、さらには、複合電極、または、固体電極の表面に堆積した膜からなる電極、から構成することができる。溶液に接触する対向電極１１６または作用電極１１５の部分は、露出する電極の電気的活性端部のみを残して、テフロンコーティングまたはその誘導体を含む（ただしこれらに限定されない）非導電性かつ不活性のコーティングによって覆うことができる（覆わなくてもよい）。コーティングの目的は、電極の端部以外の電極表面への電着を排除することである。図２は、露出する電極の端部のみを残して不活性コーティング２０２によって覆われている電極２０１を描いている。端部が平坦な電極の場合には、その平坦面のみが露出したまま残され、尖った電極の場合には、尖った先端部をコーティングによって覆わずに残すことができる。
【００２３】
データ取得ステップが完了した後、残留電着物質を除去し、したがって電極の表面を洗浄するため、新しい溶液、または電着ステップ時に使用した溶液と同じ溶液が細管に送り込まれ、２つの電極の間に逆の極性の電圧が印加される。図１ｆおよび図１ｇに示したように、電着ステップ時に行われた方法と同じ方法で細管に液体を送り込むことによって、同じ溶液を使用することができる。これに代えて、図１ｊに示したように、第２のリザーバ１３３およびリバーシブルポンプシステム１３４を利用して、第１のリザーバ１２９から第２のリザーバ１３３に、およびこの逆方向に液体を送ることによって、このステップを行うことができる。したがって、放電ステップおよび信号取得ステップの前に、第１のリザーバ１２９から第２のリザーバ１３３に液体が送られる。データ取得ステップが完了した後、溶液が第２のリザーバ１３３から第１のリザーバ１２９に戻され、洗浄ステップ時に細管１０９に送り込まれる。これに代えて、図１ｄおよび図１ｅに示した装置構成において新鮮な溶液を細管１０９に送り込むことによって、洗浄ステップ時に新しい溶液を使用することができる。洗浄ステップが完了した後、図１ｄ〜図１ｇおよび図１ｊにおける弁を開く、またはポンプシステム１３０もしくは１３５を始動させることによって、（１つまたは複数の）リザーバから溶液が排出され、次の分析サイクルのための準備が行われる。図１ｄ〜図１ｇにおいて、リザーバ１２９に液体を送り込む、およびリザーバ１２９から液体を排出するために１つの弁またはポンプシステムを使用することができ、これに代えて、リザーバ１２９に液体を送り込む、およびリザーバ１２９から液体を排出するために個別の弁またはポンプシステムを使用することができる。
【００２４】
溶液または放電成分（discharge components）によって電極が腐食する、または細管の表面が汚れた場合、取り付けられた細管１０９、電極１１５，１１６、コネクタ１１２，１１４、さらには吸入管１１０および排出管１１３を、垂直支持部１１７とともに定期的に交換することができる。したがって支持部１１７への組立部品は消耗品と考えることができる。
【００２５】
実施形態１００の上の説明は、光学分光計による検出について言及しているが、質量分析（ＭＳ）検出も可能であることが、当業者には理解されるであろう。図３は、装置１００に似ているが、質量分析（ＭＳ）検出を利用する装置（参照文字３００によって識別される）の実施形態を示している。装置１００と同様に、細管３１２の中に２つの電極３１０，３１１が配置されている。この装置では、Ｔ形状の細管３１２、または細管に沿ったいずれかの位置に配置されたＴ型コネクタ３１２が、質量分析計の入口３１６に結合されている。弁３１７は、Ｔ形状の細管またはＴ型コネクタ３１２と質量分析計３１６との間に配置されており、閉位置では、被分析物溶液が排出管３１５から流れ出ることを可能にし、開位置では、質量分析（ＭＳ）のために放電中に発生したイオンの試料採取を可能にする。この実施形態では質量分析検出が使用されるため、細管またはＴ型コネクタ３１２は、透明な材料から構成されている必要はない。
【００２６】
次に図４を参照し、図４は、液体試料の元素組成を分析する装置（全体が参照文字４００によって識別される）の代替実施形態を示している。装置４００は、前に説明した装置１００に似ている。しかしながらこの実施形態では、陽極電極４１０および陰極電極４１１が、中を溶液が送られる吸入管４１２の上に、かつ吸入管４１２に垂直に、配置されている。吸入管４１２および排出管４１３は、カップまたは容器４１４の内側に配置されている。図１に示した構造に対するこの構造の利点は、主として、細管１０９が汚れることがないことである。
【００２７】
図４ａおよび図４ｂに示したように、陽極４１０および陰極４１１は、吸入管４１２の上に、かつ吸入管４１２に垂直に、配置されている。吸入管は、ガラス、石英、プラスチック、セラミック、または、金属イオンもしくはそれ以外のイオンを浸出させない任意の非導電性材料、から作製することができる。図４ｂに示したように、液体が吸入管の中を流れるとき、あふれる液体中に電極４１０，４１１が浸される。この時間の間、陰極電着の場合には陰極４１１の先端部表面に、陽極電着の場合には陽極４１０の先端部に、被分析物が電着する。さらに、カップ／容器４１４から溶液が排出管４１３を通じて排出される。電極表面に適切な量の被分析物が電着するのに十分な時間の後、液体の流れを止める。これは、ポンプを停止させ、液体が重力によってカップから流れ出るようにすることによって、または、図１ｄに記載したポンプシステムに類似するポンプシステムにおけるリバーシブルポンプの流れを逆にすることによって、達成することができる。これに代えて、弁を開くことによって、または別のポンプを作動させることによって、吸入管が浸されている液体を除去することにより、達成することができる。これにより電極４１０，４１１は、もはや液体に浸されない。次に、三路トグルスイッチ４１５，４１６によって、回路が、直流電源またはポテンショスタット／ガルバノスタットから、高圧交流電源または一定もしくはパルス高圧直流電源に切り替えられる。放電から放出される光学発光信号が光学分光計によって検出される、または、放電成分の質量スペクトルが質量分析計によって検出される。光ファイバケーブル、光学分光計の入射スリット、または質量分析計の試料採取孔もしくは吸込み管４１７は、放電からの発光信号を記録する、または放電によって発生するイオンを試料採取するのに十分な、放電からの距離に位置している。装置１００と同様に、装置に液体を送り込み、電着ステップ時に印加した電位とは逆極性の電位を印加することによって、電極から残留電着物質を除去することができる。オンライン検出用途においては、電着の後に放電、そして分光検出、次に洗浄ステップというサイクルを、所望の頻度において自律的に繰り返すことができる。
【００２８】
電極４１０，４１１は、図４ａ〜図４ｃに示したように、直流電源／ポテンショスタット／ガルバノスタット、または、直流高圧電源もしくは交流高圧電源、のいずれかに、電気コネクタ４１８，４１９および電気ケーブル４２０，４２１を通じて接続される。
【００２９】
図４ｃに示したように、放電の正面に、かつ光ファイバケーブル４１７または光学分光計の入射スリット４１７の向かいに、平面鏡または凹面鏡４２２を配置することができる。装置１００と同様に、鏡は、光学分光計の中に光を反射するために使用され、したがって分光計内への光の量が改善され、したがって装置の感度が向上する。
【００３０】
装置１００と同様に、陰極電極４１０および陽極電極４１１は、（以下に限定されないが）黒鉛、黒鉛複合材、カーボンナノチューブ、グラフェン、フラーレン、タングステン、モリブデン、白金、イリジウム、金、アルミニウム、レニウム、ルテニウム、チタン、タンタル、またはこれらの酸化物を含むさまざまな材料から構成することができ、さらには、複合電極、または、固体電極の表面に堆積した膜からなる電極、から構成することができる。陰極電極４１０および陽極電極４１１は、図２に示したように、露出する電極の端部のみを残して、テフロンコーティングまたはその誘導体を含む（ただしこれらに限定されない）非導電性かつ不活性のコーティングによって覆うことができる（覆わなくてもよい）。
【００３１】
図５ａ〜図５ｄは、図１に示した装置を使用し、１０ｐｐｂのＣｄ、Ｈｇ、Ｐｂ、およびＣｒを添加した４Ｌの水道水試料を用いて１０分の電着の後、高圧放電の印加中に得られた２つの連続するスペクトルを示している。カドミウム、水銀、鉛、およびクロムは、世界保健機関の、人の健康に最も関係する有毒化学物質リストに掲載されている。水試料は、地元の住宅の蛇口（カナダ、オンタリオ州、ウッドブリッジ）から採取し、総硬度は１３０ｐｐｍであった。１２０ｐｐｍを超える合計ＣａＣＯ３換算量を含む水は、硬いとみなされる。図５ａ〜図５ｃにおけるスペクトルを得るために使用された電着電位は１２Ｖであった。より硬い（より高濃度の合計ＣａＣＯ３換算量を含む）水試料は、より高い導電性を有し、したがって必要な電着電位がより低く、一方で、より柔らかい水試料は、より高い電着電位を必要とする。図５ａ〜図５ｄにおけるスペクトルから得られる推定検出限界（３σ）は、Ｃｄ、Ｈｇ、Ｐｂ、Ｃｒにおいて、それぞれ０．０３ｐｐｂ、０．２ｐｐｂ、０．３ｐｐｂ、０．２ｐｐｂであった。飲料水中のＣｄ、Ｈｇ、Ｐｂ、Ｃｒの、米国環境保護庁（ＵＳ  ＥＰＡ）の最大許容濃度は、それぞれ５ｐｐｂ、２ｐｐｂ、１５ｐｐｂ、１００ｐｐｂである。飲料水について世界保健機関によって設定されている指針は、Ｃｄ、Ｈｇ、Ｐｂ、Ｃｒに対して、それぞれ３ｐｐｂ、１ｐｐｂ、１０ｐｐｂ、５０ｐｐｂである。カナダ保健省の飲料水の指針では、Ｃｄの５ｐｐｂ、Ｐｂの１０ｐｐｂ、Ｈｇの１ｐｐｂ、Ｃｒの５０ｐｐｂの最大濃度が許容される。なお、得られる検出限界は、電着時間および試料体積に依存し、したがって、電着時間を延ばす、および／または、試料体積を増やす、ことによって改善できることに留意されたい。したがって、図１における装置によって得られる検出限界は、飲料水におけるこれらの重金属の濃度を同時にモニタリングするのに十分である。なお、電極表面への電着によって予備濃縮させることのできる他の金属も、本方法によって分析できることに留意されたい。
【００３２】
図１〜図５において説明した装置は、従来技術の装置よりも有利であり、なぜならＩＣＰ−ＯＥＳ、ＩＣＰ−ＭＳ、またはＷｅｂｂら（特許文献１）によって説明されている大気圧グロー放電法で必要な、強酸および濃酸などの化学修飾剤を使用することなく、試料をそのまま分析できるためである。これにより、コストの問題、廃棄物処理問題が軽減するのみならず、試料に汚染物質が混入する可能性が減少する。これに加えて、分光化学的検出ステップによって、電気化学的検出法の場合に直面する干渉の問題が回避される。電気化学的検出法は、分光化学的検出法よりも干渉を受けやすく、なぜなら陽極／陰極ストリッピングボルタンメトリーにおけるピークが、分光法のピークより広く、したがって重なりやすいためである。さらに、電気化学的検出法において得られるピーク電位は、溶液のｐＨなど試料の組成に左右される。これに加えて、装置１００，３００，４００において使用される電気化学的な予備濃縮ステップによって、ＩＣＰ−ＭＳおよびＩＣＰ−ＯＥＳにおいて直面するマトリックス効果の問題が最小になり、この問題は、カルシウムおよびマグネシウムなど、豊富に存在しかつイオン化しやすい元素によって、被分析物のイオン化が抑制されることに起因する。本装置は簡単かつ安価であり、自動化することができ、現場に配置可能であり、オペレータなしでの水質のオンラインモニタリングに使用することができる。試料およびデータの分析に関与するすべてのステップを自動化することができ、マイクロコントローラおよび／またはコンピュータの制御下に置くことができる。試料の分析中に得られたデータは、データロギングのために１台または複数台のコンピュータ、またはクラウドネットワークに転送することができ、モニターされている１種類または複数種類の被分析物の濃度が、設定された限界を超えている場合に、警報を出すことができる。
【００３３】
実施形態について説明してきたが、当業者には理解されるように、添付の請求項によって定義される範囲から逸脱することなく変形および修正を行うことができ、請求項の範囲は、全体として説明に矛盾しない最も広い解釈によって与えられるべきである。
【００３４】
例えば、装置１００，３００，４００の上の説明は、電着ステップと放電ステップ用に個別の電圧源／電流源を含むが、電着ステップと放電ステップが、同じ直流高圧電源から高電圧を印加することによって実行される、本装置の変形形態も可能である。
【図１ａ】
2019535002.tif 000003
【図１ｂ】
2019535002.tif 000004
【図１ｃ】
2019535002.tif 000005
【図１ｄ】
2019535002.tif 000006
【図１ｅ】
2019535002.tif 000007
【図１ｆ】
2019535002.tif 000008
【図１ｇ】
2019535002.tif 000009
【図１ｈ】
2019535002.tif 000010
【図１ｉ】
2019535002.tif 000011
【図１ｊ】
2019535002.tif 000012
【図２】
2019535002.tif 000013
【図３】
2019535002.tif 000014
【図４ａ】
2019535002.tif 000015
【図４ｂ】
2019535002.tif 000016
【図４ｃ】
2019535002.tif 000017
【図５ａ】
2019535002.tif 000018
【図５ｂ】
2019535002.tif 000019
【図５ｃ】
2019535002.tif 000020
【図５ｄ】
2019535002.tif 000021
【国際調査報告】
2019535002.tif 000022
2019535002.tif 000023